【手続補正書】
【提出日】平成28年9月23日(2016.9.23)
【手続補正１】
【補正対象書類名】特許請求の範囲
【補正対象項目名】全文
【補正方法】変更
【補正の内容】
【特許請求の範囲】
【請求項１】
基板と、
前記基板に実装された電子部品と、
第１の導電部材を含み前記電子部品を覆うシールド部材と、
受電可能に構成されたコイルモジュールと、を備えた電子機器であって、
前記コイルモジュールは、
ループコイルと、
前記ループコイルに重ねて配置された面状の磁性体と、
前記面状の磁性体の表面に沿って設けられ、前記第１の導電部材とは異なる第２の導電部材と、を有し、
前記面状の磁性体は、前記ループコイルと前記第２の導電部材との間に設けられ、
前記第２の導電部材は、前記面状の磁性体の周部の少なくとも一部において、前記面状の磁性体から外側に向かって突出し、
前記シールド部材の前記第１の導電部材の少なくとも一部は、前記コイルモジュールの前記第２の導電部材の少なくとも一部と重なり、
前記ループコイル、前記面状の磁性体及び前記第２の導電部材は、前記電子機器における単一の部材として前記コイルモジュールの少なくとも一部を形成する、
電子機器。
【請求項２】
請求項１に記載の電子機器であって、
前記コイルモジュールにおいて、前記第２の導電部材は前記面状の磁性体に固定されている、
電子機器。
【請求項３】
請求項１に記載の電子機器であって、
前記シールド部材の前記第１の導電部材の少なくとも一部は、前記コイルモジュールの前記面状の磁性体の少なくとも一部と重なっている、
電子機器。
【請求項４】
請求項３に記載の電子機器であって、
前記シールド部材の前記第１の導電部材の前記一部は、前記コイルモジュールの前記面状の磁性体の前記周部の前記一部と重なっている、
電子機器。
【請求項５】
請求項１に記載の電子機器であって、
前記コイルモジュールにおいて、前記第２の導電部材は、前記面状の磁性体の前記周部の少なくとも前記一部において、前記ループコイルの中心から遠ざかるように、前記面状の磁性体から外側に向かって突出している、
電子機器。
【請求項６】
請求項１に記載の電子機器であって、
前記コイルモジュールにおいて、前記第２の導電部材は、前記面状の磁性体の前記周部の少なくとも半分において、前記面状の磁性体から外側に向かって突出している、
電子機器。
【請求項７】
請求項１に記載の電子機器であって、
前記コイルモジュールの前記第２の導電部材は２つ以上の部分に分割されている、
電子機器。
【請求項８】
請求項１に記載の電子機器であって、
前記コイルモジュールの前記第２の導電部材の導電率は洋白の導電率より大きい、
電子機器。
【請求項９】
請求項１に記載の電子機器であって、
前記コイルモジュールにおいて、前記第２の導電部材は、前記ループコイルの動作周波数において前記第２の導電部材の表皮深さより大きい又は略等しい厚みを有する、
電子機器。
【請求項１０】
請求項１に記載の電子機器であって、
前記コイルモジュールの前記面状の磁性体は切り欠き部を含み、
前記コイルモジュールの前記第２の導電部材は、前記面状の磁性体の少なくとも前記切り欠き部と重なるように設けられている、
電子機器。
【請求項１１】
請求項１０に記載の電子機器であって、
前記コイルモジュールの前記ループコイルは、少なくとも１本の導線をループ状に巻くことによって形成されており、
前記ループコイルの前記少なくとも１本の導線は、前記コイルモジュールの前記面状の磁性体の前記切り欠き部を介して引き出される、
電子機器。
【請求項１２】
請求項１に記載の電子機器であって、
前記コイルモジュールの前記第２の導電部材は、前記シールド部材の前記第１の導電部材と前記コイルモジュールの前記面状の磁性体との間に設けられている、
電子機器。
【請求項１３】
請求項１２に記載の電子機器であって、
前記シールド部材の前記第１の導電部材は、前記基板と前記コイルモジュールの前記第２の導電部材との間に設けられている、
電子機器。
【請求項１４】
請求項１に記載の電子機器であって、
更に、前記コイルモジュールによって受電された電力で充電されるように構成された電池を備えた、
電子機器。
【請求項１５】
請求項１に記載の電子機器であって、
前記コイルモジュールにおいて、前記第２の導電部材は前記面状の磁性体の表面に固定されている、
電子機器。
【請求項１６】
請求項１５に記載の電子機器であって、
前記コイルモジュールにおいて、前記第２の導電部材は前記面状の磁性体の表面に両面粘着テープで固定されている、
電子機器。
【請求項１７】
請求項１６に記載の電子機器であって、
前記コイルモジュールにおいて、前記両面粘着テープは前記第２の導電部材と前記面状の磁性体の表面との間に設けられている、
電子機器。
【請求項１８】
請求項１に記載の電子機器であって、
前記コイルモジュールの前記面状の磁性体の前記表面は前記面状の磁性体の第１の表面として定義されており、
前記面状の磁性体の第２の表面は前記面状の磁性体の第１の表面と前記コイルモジュールの前記ループコイルとの間に設けられている、
電子機器。
【請求項１９】
基板と、
前記基板に実装された電子部品と、
第１の導電部材を含み前記電子部品を覆うシールド部材と、
受電可能に構成されたコイルモジュールと、を備えた電子機器であって、
前記コイルモジュールは、
ループコイルと、
前記ループコイルに重ねて配置された面状の磁性体と、
前記面状の磁性体の表面に沿って設けられ、前記第１の導電部材とは異なる第２の導電部材と、を有し、
前記面状の磁性体は、前記ループコイルと前記第２の導電部材との間に設けられ、
前記第２の導電部材は、前記面状の磁性体の周部の少なくとも一部において、前記面状の磁性体から外側に向かって突出し、
前記第２の導電部材は、前記面状の磁性体の前記周部の少なくとも前記一部において、前記ループコイルの中心から遠ざかるように、前記面状の磁性体から外側に向かって突出しており、
前記第２の導電部材は、前記面状の磁性体の前記周部の少なくとも半分において、前記面状の磁性体から外側に向かって突出しており、
前記コイルモジュールの前記第２の導電部材は、前記シールド部材の前記第１の導電部材と前記コイルモジュールの前記面状の磁性体との間に設けられており、
前記シールド部材の前記第１の導電部材は、前記基板と前記コイルモジュールの前記第２の導電部材との間に設けられており、
前記シールド部材の前記第１の導電部材の少なくとも一部は、前記コイルモジュールの前記第２の導電部材の少なくとも一部と重なり、
前記シールド部材の前記第１の導電部材の少なくとも一部は、前記コイルモジュールの前記面状の磁性体の少なくとも一部と重なっており、前記コイルモジュールの前記面状の磁性体の前記周部の少なくとも一部と重なっており、
前記ループコイル、前記面状の磁性体及び前記第２の導電部材は、前記電子機器における単一の部材として前記コイルモジュールの少なくとも一部を形成する、
電子機器。
【請求項２０】
基板と、
前記基板に実装された電子部品と、
第１の導電部材を含み前記電子部品を覆うシールド部材と、
受電可能に構成されたコイルモジュールと、
前記コイルモジュールによって受電された電力で充電されるように構成された電池と、を備えた電子機器であって、
前記コイルモジュールは、
ループコイルと、
前記ループコイルに重ねて配置された面状の磁性体と、
前記面状の磁性体の表面に沿って設けられ、前記第１の導電部材とは異なる第２の導電部材と、を有し、
前記面状の磁性体は、前記ループコイルと前記第２の導電部材との間に設けられ、
前記第２の導電部材は、前記面状の磁性体の周部の少なくとも一部において、前記面状の磁性体から外側に向かって突出し、
前記第２の導電部材は、前記面状の磁性体の前記周部の少なくとも前記一部において、前記ループコイルの中心から遠ざかるように、前記面状の磁性体から外側に向かって突出しており、
前記第２の導電部材は、前記面状の磁性体の前記周部の少なくとも半分において、前記面状の磁性体から外側に向かって突出しており、
前記コイルモジュールの前記第２の導電部材は、前記シールド部材の前記第１の導電部材と前記コイルモジュールの前記面状の磁性体との間に設けられており、
前記シールド部材の前記第１の導電部材は、前記基板と前記コイルモジュールの前記第２の導電部材との間に設けられており、
前記シールド部材の前記第１の導電部材の少なくとも一部は、前記コイルモジュールの前記第２の導電部材の少なくとも一部と重なり、
前記シールド部材の前記第１の導電部材の少なくとも一部は、前記コイルモジュールの前記面状の磁性体の少なくとも一部と重なっており、前記コイルモジュールの前記面状の磁性体の前記周部の少なくとも一部と重なっており、
前記ループコイル、前記面状の磁性体及び前記第２の導電部材は、前記電子機器における単一の部材として前記コイルモジュールの少なくとも一部を形成する、
電子機器。